(57)【要約】【課題】  保持器のポケット端面ところ端面との金属接触を防ぎ、この部位での摩耗を防止できるころ軸受を提供する。【解決手段】  ころ軸受１は、両端に、内径側に延びる鍔部３が形成され、周方向複数箇所にころ保持用のポケット４を有するリング状の金属製の保持器２と、この保持器２のポケット４内に保持された複数のころ５とを備える。保持器２の両鍔部３の内面の内径側縁に、切欠状に凹陥する環状の段差面３ａを設け、この段差面３ａに前記ころ５の端面に接触する樹脂製リング７を嵌合させる。【選択図】      図１
2011127645.tif 000002
【特許請求の範囲】
【請求項１】
ころ保持用の複数のポケットを有するリング状の保持器と、前記ポケット内に保持された複数のころとを備えたころ軸受において、
前記保持器が、周方向複数箇所に前記ころ保持用のポケットを有しかつ軸方向の両端に内径側に延びる鍔部が形成されたリング状の金属製の保持器本体を備え、この保持器本体の両鍔部の内面の内径側縁に、切欠状に凹陥する環状の段差面を設け、この段差面に前記ころの端面に接触する樹脂製リングを嵌合させたことを特徴とするころ軸受。
【請求項２】
請求項１において、前記樹脂製リングの端面がころのピッチ円中心近傍でころの端面に接触するころ軸受。
【請求項３】
請求項１または請求項２において、前記樹脂製リングの端面は、前記保持器本体のポケットの端面よりも軸方向の内側に位置するころ軸受。
【請求項４】
請求項１ないし請求項３のいずれか１項において、前記樹脂製リングは、複数個の円弧状分割体からなるころ軸受。
【請求項５】
請求項１ないし請求項４のいずれか１項において、前記樹脂製リングには、製品識別用の着色が施されているころ軸受。
【請求項６】
周方向複数箇所にころ保持用のポケットを有しかつ軸方向の両端に内径側に延びる鍔部が形成されたリング状の金属製の保持器本体を備え、この保持器本体の両鍔部の内面の内径側縁に、切欠状に凹陥する環状の段差面を設け、この段差面に前記ころの端面に接触する樹脂製リングを嵌合させたことを特徴とするころ軸受用保持器。
【発明の詳細な説明】
【技術分野】
【０００１】
この発明は、鍔付きの金属製の保持器と複数のころとを備えたころ軸受、およびそのころ軸受用保持器に関する。
【背景技術】
【０００２】
金属製保持器を有する図８のようなころ軸受１１では、図７（Ａ）のＡ部を拡大して示す図７（Ｂ）のように、保持器１２のポケット１４の端面ところ１５端面とが金属接触する。そのため、接触部位でのドリリング摩耗が問題となる。この問題を解決するため、例えば、保持器１２のポケット１４の端面に溝を設けることで、ポケット１４の端面ところ１５の端面との間の潤滑性を改善した構造のものが提案されている（特許文献１）。
【先行技術文献】
【特許文献】
【０００３】
【特許文献１】特開２００９−０４７２９４号公報
【発明の概要】
【発明が解決しようとする課題】
【０００４】
しかし、ポケット１４の端面に溝を設けた構造の場合でも、保持器のポケット端面ところ端面とは金属接触するたため、この接触部位でのドリリング摩耗を低減する効果は十分ではなかった。
【０００５】
この発明の目的は、保持器のポケット端面ところ端面との金属接触を防ぎ、この部位での摩耗を防止できるころ軸受、およびころ軸受用保持器を提供することである。
【課題を解決するための手段】
【０００６】
この発明のころ軸受は、ころ保持用の複数のポケットを有するリング状の保持器と、前記ポケット内に保持された複数のころとを備えたころ軸受において、前記保持器が、周方向複数箇所に前記ころ保持用のポケットを有しかつ軸方向の両端に内径側に延びる鍔部が形成されたリング状の金属製の保持器本体を備え、この保持器本体の両鍔部の内面の内径側縁に、切欠状に凹陥する環状の段差面を設け、この段差面に前記ころの端面に接触する樹脂製リングを嵌合させたことを特徴とする。
【０００７】
この構成によると、保持器鍔部の内面の段差面に、ころ端面に接触する樹脂製リングを嵌合させたので保持器のポケット端面ところ端面との金属接触が回避され、金属接触によるドリリング摩耗や発熱を低減することができる。ころ端面と樹脂製リングとが滑り接触するが、樹脂の持つ自己潤滑性のため、摩擦が軽減される。
【０００８】
この発明において、前記樹脂製リングの端面がころのピッチ円中心ＰＣＤ近傍でころの端面に接触するものとするのが望ましい。このように、樹脂製リングの端面をころピッチ円中心ＰＣＤ近傍でころの端面に接触させると、ころを安定して案内することができる。
【０００９】
この発明において、前記樹脂製リングの端面は、前記保持器本体のポケットの端面よりも軸方向の内側に位置するものとするのが望ましい。すなわち、樹脂製リングの端面が保持器本体のポケットの端面よりもポケット内に突出することが望ましい。
このように樹脂製リングの端面をポケット内に突出させると、ころの端面が樹脂製リングの端面のみに接触して金属製のポケットの端面との接触が避けられる。そのため、金属接触によるドリリング摩耗を確実に防止することができる。
【００１０】
この発明において、前記樹脂製リングは、複数個の円弧状分割体からなるものとしても良い。このように、樹脂製リングを複数個の円弧状分割体で構成した場合、保持器への樹脂製リングの組込みを容易に行うことができる。
【００１１】
この発明において、前記樹脂製リングには、製品識別用の着色を施しても良い。製品識別用の着色を樹脂製リングに施すと、その着色により、このころ軸受を他の近似品と容易に識別することができ、ころ違いなどによる識別も同時に行うことができる。着色を施す箇所が樹脂製リングであるため、保持器本体に識別を施す場合に比べて、簡単に着色の処理が行える。
【００１２】
この発明のころ保持用保持器は、周方向複数箇所にころ保持用のポケットを有しかつ軸方向の両端に内径側に延びる鍔部が形成されたリング状の金属製の保持器本体を備え、この保持器本体の両鍔部の内面の内径側縁に、切欠状に凹陥する環状の段差面を設け、この段差面に前記ころの端面に接触する樹脂製リングを嵌合させたことを特徴とする。
この構成のころ保持用保持器によると、この発明のころ軸受につき前述したと同様に、保持器のポケット端面ところ端面との金属接触を防ぎ、この部位での摩耗を防止することができる。
【発明の効果】
【００１３】
この発明のころ軸受は、ころ保持用の複数のポケットを有するリング状の保持器と、前記ポケット内に保持された複数のころとを備えたころ軸受において、前記保持器が、周方向複数箇所に前記ころ保持用のポケットを有しかつ軸方向の両端に内径側に延びる鍔部が形成されたリング状の金属製の保持器本体を備え、この保持器本体の両鍔部の内面の内径側縁に、切欠状に凹陥する環状の段差面を設け、この段差面に前記ころの端面に接触する樹脂製リングを嵌合させたため、保持器のポケット端面ところ端面との金属接触を防ぎ、この部位での摩耗を防止することができる。
この発明のころ軸受用保持器は、周方向複数箇所にころ保持用のポケットを有しかつ軸方向の両端に内径側に延びる鍔部が形成されたリング状の金属製の保持器本体を備え、この保持器本体の両鍔部の内面の内径側縁に、切欠状に凹陥する環状の段差面を設け、この段差面に前記ころの端面に接触する樹脂製リングを嵌合させたため、保持器のポケット端面ところ端面との金属接触を防ぎ、この部位での摩耗を防止することができる。
【図面の簡単な説明】
【００１４】
【図１】（Ａ）はこの発明の一実施形態にかかるころ軸受の部分断面図、（Ｂ）は（Ａ）におけるＢ部の拡大断面図である。
【図２】同ころ軸受の斜視図である。
【図３】同ころ軸受の樹脂製リングを嵌合させる前の状態を示す部分断面図である。
【図４】同ころ軸受の樹脂製リングを嵌合させる前の状態を示す斜視図である。
【図５】（Ａ）は樹脂製リングの部分断面図、（Ｂ）は同樹脂製リングの斜視図である。
【図６】（Ａ）は２つ割りとした樹脂製リングの斜視図、（Ｂ）は３つ割りとした樹脂製リングの斜視図である。
【図７】（Ａ）は従来例の部分断面図、（Ｂ）は（Ａ）におけるＡ部の拡大断面図である。
【図８】従来例の斜視図である。
【発明を実施するための形態】
【００１５】
この発明の一実施形態を図１ないし図６と共に説明する。図１（Ａ）はこの実施形態のころ軸受の部分断面図を示し、図１（Ｂ）は（Ａ）におけるＢ部の拡大断面図を示す。このころ軸受１は、リング状の金属製の保持器２と、この保持器２のポケット４内に図２のように保持された複数のころ５とでなる保持器付きころ形式の軸受である。保持器２は、両端に内径側に延びる鍔部３が形成されている。
【００１６】
図１において、保持器２は、この保持器２の大部分を成すリング状の金属製の保持器本体２Ａと、その一部に設けられた樹脂製リング７とで構成される。保持器本体２Ａは、周方向複数箇所に前記ころ保持用のポケット４を有し、かつ軸方向の両端に前記鍔部３，３が形成されている。
保持器本体２Ａは、いわゆるＭ型のものであって、各ポケット４間の柱部６が、両端の外径側部６ａと、これらの外径側部６ａから内径側へ斜めに続く傾斜部６ｃと、中央の内径側部６ｂとでなる台形状に形成され、保持器全体の断面形状が略Ｍ形とされている。柱部６の外径側部６ａは、ポケット４に挿入されるころ５の軸心（ピッチ円中心ＰＣＤ）に対して外径側に位置し、内径側部６ｂはころ５のピッチ円中心ＰＣＤに対して内径側に位置する。
【００１７】
図３および図４に部分断面図および斜視図で示すように、保持器本体２Ａの両側の鍔部３における内面の内径側縁には切欠状に凹陥する環状の段差面３ａがそれぞれ設けられている。これら各段差面３ａには、図１および図２に示すように、ころ５の端面に接触する樹脂製リング７が嵌合させられる。この嵌合により、樹脂製リング７は、保持器鍔部３の段差面３ａところ５の端面とで挟まれるので、保持器２から脱落することはない。図５（Ａ），（Ｂ）は、その樹脂製リング７の一例の部分断面図および斜視図を示す。
【００１８】
上記構成のころ軸受１によると、保持器２の鍔部３の内面の段差面３ａに、ころ５の端面に接触する樹脂製リング７を嵌合させたため、保持器ポケット４の端面ところ５の端面との金属接触が回避され、金属接触によるドリリング摩耗や発熱が低減される。
【００１９】
この実施形態では、樹脂製リング７の軸方向の幅寸法は、保持器鍔部３の内面の段差面３ａの凹陥深さよりも大きく設定されていて、その段差面３ａに嵌合された樹脂製リング７の内向き端面は、保持器２のポケット４の端面よりも軸方向の内側に突出する位置に配置される。そのため、ころ５の端面は、金属製の保持器本体２Ａにおける、鍔部３の内面であるポケット端面には接触せず、樹脂製リング７の端面にのみに接触することになる。そのため、、保持器ポケット４の端面との金属接触が確実に避けられ、金属接触によるドリリング摩耗を確実に防止することができる。
【００２０】
また、図１（Ｂ）のように、樹脂製リング７の外径はころピッチ円中心ＰＣＤ近傍とされ、かつ樹脂製リング７の内径は保持器鍔部３の内径と同一またはこれよりも大きくなっている。これにより、樹脂製リング７の内向きの端面がころピッチ円中心ＰＣＤ近傍でころ５の端面に接触するので、ころ５を安定して案内することができる。
【００２１】
図５では樹脂製リング７が完全な環体である構成例のものを示したが、樹脂製リング７は、図６のように複数個の円弧状分割体７ａ，７ｂからなるものとしても良い。図６（Ａ）は樹脂製リング７が２個の円弧状分割体７ａからなる構成例を示し、図６（Ｂ）は３個の円弧状分割体７ｂからなる構成例を示す。
このように、樹脂製リング７を複数個の円弧状分割体７ａ，７ｂで構成した場合、保持器２への樹脂製リング７の組込みを容易に行うことができる。
【００２２】
また、この実施形態では、樹脂製リング７は保持器本体２Ａとは異なる色とされ、樹脂製リング７に製品識別用の着色が施されている。例えばころ軸受の型番毎に異なる色に着色が施されている。このように、製品識別用の着色が樹脂製リング７に施されていることで、このころ軸受１を他の近似品と容易に識別することができるので、ころ違いなどによる識別も同時に行うことができる。
【００２３】
なお、上記実施形態のころ軸受１は、保持器付きころ形式の軸受であり、軸受の組み込まれる機器における軸の外周や、ハウジングあるいはギヤ等の部品の内周面がころ５の軌道面となるように使用されるが、図１の保持器２およびころ５に加えて、内輪および外輪（図示せず）の両方、あるいは内輪または外輪のいずれか一方を設けた軌道輪付きの軸受としても良い。
【符号の説明】
【００２４】
１…ころ軸受
２…保持器
２Ａ…保持器本体
３…鍔部
４…ポケット
５…ころ
７…樹脂製リング
７ａ，７ｂ…樹脂製リングの円弧状分割体
【図１】
2011127645.tif 000003
【図２】
2011127645.tif 000004
【図３】
2011127645.tif 000005
【図４】
2011127645.tif 000006
【図５】
2011127645.tif 000007
【図６】
2011127645.tif 000008
【図７】
2011127645.tif 000009
【図８】
2011127645.tif 000010